(57)【要約】【課題】クレジットカードのオーソリ予約を行うことができる店舗サーバを提供する。【解決手段】  店舗サーバ１は、特定のクレジットカードについて、特定の期間において利用可能な上限額を設定し、その設定した上限額をカードシステム２に対して送信することによって、前記期間における前記クレジットカードの利用についてオーソリ予約を行う。その後、店舗サーバ１は、前記期間中に前記クレジットカードの利用要求を受け付けた場合、当該期間における当該クレジットカードの利用額の合計額が設定した上限額以内であるか否かを判定し、上限額以内であると判定した場合、前記クレジットカードの利用を承認する。【選択図】図１
2020098380.tif 000002
【特許請求の範囲】
【請求項１】
クレジットカードが利用可能な店舗に設けられ、当該クレジットカードの利用について承認を行う店舗サーバであって、
特定のクレジットカードについて、特定の期間において利用可能な上限額を設定する上限額設定手段と、
設定した上限額を前記クレジットカード会社システムに対して送信することによって、前記期間における前記クレジットカードの利用についてオーソリ予約を行うオーソリ予約手段と、
前記期間中に前記クレジットカードの利用要求を受け付けた場合、当該期間における当該クレジットカードの利用額の合計額が設定した上限額以内であるか否かを判定する判定手段と、
上限額以内であると判定した場合、前記クレジットカードの利用を承認し、利用額を含む利用履歴を記憶する利用履歴記憶手段と、
記憶した利用履歴に基づいて、前記期間における前記クレジットカードの利用に係る伝票情報の登録を、前記クレジットカード会社システムに対して行う伝票登録手段と
を備える、店舗サーバ。
【請求項２】
前記上限額設定手段は、店舗側によって入力された金額を上限額として設定するように構成されている、
請求項１に記載の店舗サーバ。
【請求項３】
店舗によって入力された前記伝票情報の登録の期限を設定する登録期限設定手段を
さらに備える、
請求項１又は２に記載の店舗サーバ。
【請求項４】
前記登録期限設定手段によって設定された期限を、店舗に対して通知する通知手段を
さらに備える、
請求項３に記載の店舗サーバ。
【請求項５】
前記利用要求を受け付けた場合、前記クレジットカードの利用者に対して、前記期間における前記クレジットカードの利用額の合計額を出力する出力手段を
さらに備える、
請求項１乃至４の何れかに記載の店舗サーバ。
【請求項６】
前記利用要求を受け付ける際に、外部のクレジットカード読み取り端末を介して、前記クレジットカードのカード番号を取得する取得手段
をさらに備え、
前記判定手段は、取得したカード番号に基づいてクレジットカードを特定し、特定したクレジットカードの利用額の合計額が設定した上限額以内であるか否かを判定するように構成されている、
請求項１乃至５の何れかに記載の店舗サーバ。
【発明の詳細な説明】
【技術分野】
【０００１】
本発明は、クレジットカードの利用を承認する店舗サーバに関する。
【背景技術】
【０００２】
実店舗においてクレジットカードを用いて決済を行う場合、その都度ＣＡＴ（Credit Authorization Terminal）などの加盟店端末を用いてオーソリ処理（与信照会処理）が行われる。その際、クレジットカードのカード情報を加盟店端末で読み取ったり、利用者からサインを受領したりするなどの手間が発生する。また、オーソリ処理は、クレジットカード会社側のカードシステムとの通信処理を伴うため、ある程度の時間を要する。そのため、少額決済の場合、クレジットカードの利用が敬遠される傾向にある。
【０００３】
特許文献１には、小口決済専用のクレジットカードを発行し、そのカードに設けられたＩＣチップに利用限度額及び未請求の利用残高を記憶させておくことにより、加盟店端末においてオフラインで決済をすることができる決済システムが開示されている。この決済システムによれば、加盟店端末のみでオーソリ処理を完了させることができるため、短時間で済ませることができ、少額決済におけるクレジットカードの利用を促進することが期待できる。
【先行技術文献】
【特許文献】
【０００４】
【特許文献１】特開２００６−３１３４４０号公報
【発明の概要】
【発明が解決しようとする課題】
【０００５】
しかしながら、上述した従来の決済システムの場合、利用者は、小口決済専用のクレジットカードと通常のクレジットカードとを使い分ける必要があるなど、利便性に欠けるという問題がある。
【０００６】
本発明は斯かる事情に鑑みてなされたものであり、その主たる目的は、上述した課題を解決することができる店舗サーバを提供することにある。
【課題を解決するための手段】
【０００７】
上述した課題を解決するために、本発明の一の態様の店舗サーバは、クレジットカードが利用可能な店舗に設けられ、当該クレジットカードの利用について承認を行う店舗サーバであって、特定のクレジットカードについて、特定の期間において利用可能な上限額を設定する上限額設定手段と、設定した上限額を前記クレジットカード会社システムに対して送信することによって、前記期間における前記クレジットカードの利用についてオーソリ予約を行うオーソリ予約手段と、前記期間中に前記クレジットカードの利用要求を受け付けた場合、当該期間における当該クレジットカードの利用額の合計額が設定した上限額以内であるか否かを判定する判定手段と、上限額以内であると判定した場合、前記クレジットカードの利用を承認し、利用額を含む利用履歴を記憶する利用履歴記憶手段と、記憶した利用履歴に基づいて、前記期間における前記クレジットカードの利用に係る伝票情報の登録を、前記クレジットカード会社システムに対して行う伝票登録手段とを備える。
【０００８】
前記態様において、前記上限額設定手段は、店舗によって入力された金額を上限額として設定するように構成されていてもよい。
【０００９】
また、前記態様において、店舗サーバが、店舗によって入力された前記伝票情報の登録の期限を設定する登録期限設定手段をさらに備えていてもよい。
【００１０】
また、前記態様において、店舗サーバが、前記登録期限設定手段によって設定された期限を、店舗に対して通知する通知手段をさらに備えていてもよい。
【００１１】
また、前記態様において、店舗サーバが、前記利用要求を受け付けた場合、前記クレジットカードの利用者に対して、前記期間における前記クレジットカードの利用額の合計額を出力する出力手段をさらに備えていてもよい。
【００１２】
また、前記態様において、店舗サーバが、前記利用要求を受け付ける際に、外部のクレジットカード読み取り端末を介して、前記クレジットカードのカード番号を取得する取得手段をさらに備え、前記判定手段が、取得したカード番号に基づいてクレジットカードを特定し、特定したクレジットカードの利用額の合計額が設定した上限額以内であるか否かを判定するように構成されていてもよい。
【発明の効果】
【００１３】
本発明によれば、簡易な構成で、クレジットカードの利用者の利便性を高めることができる。
【図面の簡単な説明】
【００１４】
【図１】店舗サーバ及びその通信先の構成を示すブロック図。
【図２】店舗サーバの構成を示すブロック図。
【図３】店舗サーバに設けられている利用履歴データベースのレイアウトの一例を示す図。
【図４】カードシステムに設けられているオーソリ予約データベースのレイアウトの一例を示す図。
【図５】オーソリ予約処理の手順を示すフローチャート。
【図６】予約要求画面の表示例を示す図。
【図７】オーソリ予約処理の手順を示すフローチャート。
【図８】予約受付画面の表示例を示す図。
【図９】カード利用受付処理の手順を示すフローチャート。
【図１０】伝票登録処理の手順を示すフローチャート。
【図１１】登録期限通知処理の手順を示すフローチャート。
【図１２】暫定合計額確認処理の手順を示すフローチャート。
【発明を実施するための形態】
【００１５】
以下、本発明の好ましい実施の形態について、図面を参照しながら説明する。なお、以下に示す各実施の形態は、本発明の技術的思想を具体化するための方法及び装置を例示するものであって、本発明の技術的思想は下記のものに限定されるわけではない。本発明の技術的思想は、特許請求の範囲に記載された技術的範囲内において種々の変更を加えることができる。
【００１６】
［システム全体の構成］
図１は、店舗サーバ及びその通信先の構成を示すブロック図である。図１に示すように、クレジットカードの加盟店である各店舗に設けられる複数の店舗サーバ１，１，…は、インターネットを含む通信ネットワーク１０１と通信可能に接続されている。この通信ネットワーク１０１には、クレジットカード会社のカードシステム２、及びクレジットカードの各カード会員によって用いられる複数の利用者端末３，３，…が通信可能に接続されている。店舗サーバ１は、通信ネットワーク１０１を介して、カードシステム２との間で各種のデータの送受信を行う。同様にして、カードシステム２は、通信ネットワーク１０１を介して、利用者端末３との間で各種のデータの送受信を行う。
【００１７】
また、店舗サーバ１は、各店舗で用いられるカードリーダ端末４と通信可能に接続されている。後述するように、カード会員が店舗でクレジットカードを利用する場合、店舗サーバ１とカードリーダ端末４との間で各種のデータの送受信が行われる。
【００１８】
カードシステム２は、ＣＰＵ、主記憶装置、補助記憶装置、入出力インタフェース、及び通信インタフェース等を含むコンピュータシステムである。ＣＰＵは、補助記憶装置から主記憶装置にロードされた各種のコンピュータプログラムを実行する。これにより、後述する各情報処理が実現される。また、通信インタフェースは、通信ネットワーク１０１と接続するためのインタフェースである。
【００１９】
カードシステム２の補助記憶装置には、予約要求データベース（ＤＢ）２１及びオーソリ予約データベース（ＤＢ）２２が設けられている。予約要求ＤＢ２１は、カード会員側から取得したオーソリ予約の要求に係る情報を格納するデータベースであり、オーソリ予約ＤＢ２２は、設定されたオーソリ予約に係る情報を格納するデータベースである。オーソリ予約ＤＢ２２の詳細については後述する。なお、本明細書において、オーソリ予約とは、クレジットカードの利用の都度カードシステム２によってオーソリ処理を実行するのではなく、所定の期間におけるクレジットカードの利用について前もってオーソリ処理に相当する処理を行うことを意味する。
【００２０】
利用者端末３は、例えば、パーソナルコンピュータ、スマートフォン等の携帯電話機又はタブレット端末等で構成される。後述するように、カード会員は、利用者端末３を用いてカードシステム２にアクセスし、オーソリ予約の要求を行う。
【００２１】
なお、カードシステム２は、１台のコンピュータによって構成されていてもよく、複数のコンピュータによる分散システムによって構成されていてもよい。店舗サーバ１も同様に、１台のコンピュータによって構成されていてもよく、分散システムによって構成されていてもよいが、本実施の形態では１台のコンピュータによって構成されている。以下、その構成の詳細について説明する。
【００２２】
［店舗サーバの構成］
図２は、店舗サーバの構成を示すブロック図である。図２に示すように、店舗サーバ１は、ＣＰＵ１１、ＲＯＭ１２、ＲＡＭ１３、入力部１４、表示部１５、ハードディスク１６、及び通信インタフェース（Ｉ／Ｆ）１７を備えており、これらの各要素はバス１８によって接続されている。
【００２３】
ＣＰＵ１１は、ＲＯＭ１２及びハードディスク１６に記憶されているコンピュータプログラムを実行する。これにより、店舗サーバ１は、後述するような動作を実行することが可能になる。
【００２４】
ＲＯＭ１２は、ＣＰＵ１１によって実行されるコンピュータプログラム及びこれに用いられるデータなどを記憶している。また、ＲＡＭ１３は、ハードディスク１６に記憶されているコンピュータプログラムの読み出しに用いられる。
【００２５】
入力部１４は、キーボード及びマウスなどから構成されており、ＵＳＢなどから構成される入出力インタフェースを介してバス１８に接続されている。店舗の担当者は、入力部１４を使用することにより、店舗サーバ１に各種データ及び指示を入力することができる。
【００２６】
表示部１５は、ＬＣＤ又はＣＲＴなどで構成されており、画像出力インタフェースを介してバス１８に接続されている。この表示部１５は、ＣＰＵ１１から与えられる画像データに応じた映像信号にしたがって画像を表示する。
【００２７】
ハードディスク１６には、オペレーティングシステム及びアプリケーションプログラムを含む種々のコンピュータプログラム、並びにそれらのコンピュータプログラムの実行に用いられるデータなどがインストールされている。また、このハードディスク１６には、オーソリ予約の範囲内でのクレジットカードの利用履歴を格納する利用履歴データベース（ＤＢ）１６１が設けられている。この利用履歴ＤＢ１６１の詳細については後述する。
【００２８】
なお、本実施の形態では、利用履歴ＤＢ１６１が店舗サーバ１の内部に設けられているが、店舗サーバ１がアクセス可能であれば、外部の他の装置に設けられていてもよい。
【００２９】
［データベースの詳細］
以下、上述した利用履歴ＤＢ１６１及びオーソリ予約ＤＢ２２の詳細について説明する。
（１）利用履歴ＤＢ１６１
図３は、利用履歴ＤＢ１６１のレイアウトの一例を示す図である。利用履歴ＤＢ１６１には、カード番号毎に、オーソリ予約の内容、そのオーソリ予約の範囲内でのクレジットカードの利用履歴、及び伝票登録の状況を示す情報が格納されている。図３に示すように、オーソリ予約の内容を規定する情報として“期間”、“伝票登録期限”及び“上限額”の各情報が、利用履歴を示す情報として“利用履歴”及び“合計額”の各情報が、伝票登録の状況を示す情報としては“登録済”が、利用履歴ＤＢ１６１に格納されている。
【００３０】
“期間”は、オーソリ予約が適用される期間を示す情報である。本実施の形態の場合、月単位でオーソリ予約が可能となっており、“期間”はその月を示す情報となっている。なお、オーソリ予約が適用される期間は所定の期間であればよく、月の他、週又は特定の開始日から終了日までなどであってもよい。なお、以下では、この“期間”で示される期間を「特定期間」と表現する。
【００３１】
“伝票登録期限”は、クレジットカードの利用に係る伝票登録の期限を示す情報である。通常、クレジットカードを用いて代金の支払いが行われる場合、その都度店舗において伝票登録を行う必要がある。具体的には、ＣＡＴなどの加盟店端末を用いて、カード情報の読み取り、利用金額及び支払い回数の入力、及び売上票の作成などの処理を実行することにより、伝票登録が行われる。これに対し、本実施の形態では、クレジットカードが利用される都度伝票登録を行う必要はなく、“伝票登録期限”で示される期限内に伝票登録を行えばよい。
【００３２】
“上限額”は、特定期間において当該クレジットカードが利用可能な上限額を示す情報である。本実施の形態の場合、この上限額以内であれば、カードシステム２を介してオーソリ処理を行うことなく、クレジットカードの利用が承認される。
【００３３】
“利用履歴”は、特定期間におけるクレジットカードの利用履歴を示す情報であって、より具体的には、各利用についての利用日時及び利用額を示す情報である。クレジットカードが利用される都度、その利用日時及び利用額が書き込まれる。
【００３４】
“合計額”は、特定期間における当該クレジットカードの利用額の合計額を示す情報である。本実施の形態の場合、この合計額が設定されている上限額以内であれば、オーソリ予約の範囲内で処理されることになる。
【００３５】
“登録済”は、伝票登録が済んでいるか否かを示す情報である。後述する伝票登録処理によって伝票登録が行われている場合、伝票登録が済んでいること示す情報が“登録済”として格納される。
【００３６】
（２）オーソリ予約ＤＢ２２
図４は、オーソリ予約ＤＢ２２のレイアウトの一例を示す図である。図４に示すように、オーソリ予約ＤＢ２２には、カード番号毎に、オーソリ予約の内容を示す情報、より具体的には“加盟店番号”、“期間”、“伝票登録期限”、及び“上限額”が格納されている。このうち、“期間”、“伝票登録期限”、及び“上限額”は、利用履歴ＤＢ１６１の場合と同様の情報であるため、説明を省略する。“加盟店番号”は、オーソリ予約が適用される店舗を特定する情報である。
【００３７】
［システムの動作］
次に、上述したように構成された本実施の形態の店舗サーバを含むシステムの動作について、フローチャート等を参照しながら説明する。以下では、（１）カード会員がオーソリ予約を要求するためのオーソリ予約要求処理、（２）オーソリ予約を行うオーソリ予約処理、（３）オーソリ予約が適用されるクレジットカードの利用を受け付けるためのカード利用受付処理、（４）クレジットカードの利用に係る伝票を登録するための伝票登録処理、及び（５）伝票登録の期限を通知するための登録期限通知処理の各処理について説明する。
【００３８】
（１）オーソリ予約要求処理
オーソリ予約が適用される場合、クレジットカードの利用の都度伝票登録を行う必要がなくなるため、店舗側の手続的な負担が少ない。そのため、カード会員は、少額の支払いであったり、店舗が混雑していたりする場合であっても、店舗に気兼ねすることなくクレジットカードを用いることができる。そこで、そのような状況での利用が想定される場合、カード会員は、クレジットカード会社側に対してオーソリ予約の要求を行う。その際、次のオーソリ予約要求処理が実行される。
【００３９】
図５は、カードシステム２及び利用者端末３によって実行されるオーソリ予約要求処理の手順を示すフローチャートである。なお、このオーソリ予約要求処理の前に、利用者端末３は、カードシステム２にアクセスして、オーソリ予約の要求を行うための予約要求画面を取得しているものとする。
【００４０】
図５に示すとおり、利用者端末３は、カードシステム２から取得した予約要求画面を表示部に表示する（Ｓ１０１）。図６は、その予約要求画面の表示例を示す図である。図６に示すとおり、予約要求画面１００１には、カード番号、利用期間、及び利用店舗を入力する入力欄と、入力された情報の送信を指示するための送信ボタンとが設けられている。
【００４１】
カード会員は、利用者端末３が備える入力部を用いて、クレジットカードのカード番号、オーソリ予約の適用を希望する期間、及びオーソリ予約の適用を希望する店舗をそれぞれ示す各情報を入力欄に入力し、その後送信ボタンをクリックする。以下、これらの各情報をまとめて「予約要求情報」と表現する。
【００４２】
利用者端末３は、予約要求情報の入力を受け付け（Ｓ１０２）、その後に送信ボタンのクリックを検知すると、予約要求情報をカードシステム２に対して送信する（Ｓ１０３）。
【００４３】
カードシステム２は、利用者端末３から予約要求情報を受信した場合（Ｓ２０１）、クレジットカードの有効期限などの基本的な情報の確認を行った上で、その予約要求情報を予約要求ＤＢ２１に登録する（Ｓ２０２）。これにより、オーソリ予約の要求が受け付けられたことになる。その後、毎日午前０時など、適宜のタイミングで、以下のオーソリ予約処理が実行される。
【００４４】
（２）オーソリ予約処理
図７は、店舗サーバ１及びカードシステム２によって実行されるオーソリ予約処理の手順を示すフローチャートである。カードシステム２はまず、予約要求ＤＢ２１から抽出した予約要求情報を、オーソリ予約の適用の対象となる店舗に係る店舗サーバ１に対して送信する（Ｓ３０１）。
【００４５】
店舗サーバ１は、カードシステム２から送信された予約要求情報を受信すると（Ｓ４０１）、その予約要求情報に係るオーソリ予約を受け付けるための予約受付画面を表示部１５に表示する（Ｓ４０２）。
【００４６】
図８は、予約受付画面の表示例を示す図である。図８に示すとおり、予約受付画面１００２には、カード番号、カード会員の氏名、及び利用期間を表示する表示欄と、利用可能な上限額、及び伝票登録の期限を入力する入力欄と、入力された情報の送信を指示するための送信ボタンとが設けられている。
【００４７】
店舗の担当者は、オーソリ予約の要求を承認する場合、入力部１４を用いて、希望する上限額及び伝票登録の期限をそれぞれ示す各情報を入力欄に入力し、その後送信ボタンをクリックする。以下、これらの各情報をまとめて「店舗希望情報」という。
【００４８】
担当者は、店舗での利用額及び利用頻度の傾向などを参考にして上限額を決定する。例えば、利用額及び利用頻度の平均がそれぞれ３，０００円及び４回／月である場合、１２，０００円（＝３，０００円×４）を上限額とする、などである。また、担当者は、店舗の繁忙状況などを参考にして伝票登録の期限を決定する。例えば、月初めに業務量が比較的少なくなる店舗の場合、月初めを伝票登録の期限とする、などである。
【００４９】
店舗サーバ１は、店舗希望情報の入力を受け付け（Ｓ４０３）、その後に送信ボタンのクリックを検知すると、店舗希望情報をカードシステム２に対して送信する（Ｓ４０４）。
【００５０】
カードシステム２は、店舗サーバ１から店舗希望情報を受信すると（Ｓ３０２）、その店舗希望情報の内容でオーソリ予約が可能であるか否かを判定する（Ｓ３０３）。この場合、カードシステム２は、例えば店舗希望情報に含まれる上限額が所定の閾値以内である場合はオーソリ予約が可能であると判定し、その閾値を超える場合はオーソリ予約ができないと判定する。
【００５１】
カードシステム２は、ステップＳ３０３でオーソリ予約ができないと判定した場合（Ｓ３０３でＮＯ）、オーソリ予約が不可であることを示す予約不可情報を生成し（Ｓ３０４）、その予約不可情報を含む予約結果情報を店舗サーバ１に対して送信する（Ｓ３０７）。
【００５２】
他方、ステップＳ３０３でオーソリ予約が可能であると判定した場合（Ｓ３０３でＹＥＳ）、カードシステム２は、そのオーソリ予約の内容（“カード番号”、“加盟店番号”、“期間”、“伝票登録期限”及び“上限額”）をオーソリ予約ＤＢ２２に登録する（Ｓ３０５）。これにより、カードシステム２において、オーソリ予約が完了する。
【００５３】
次に、カードシステム２は、オーソリ予約が完了したことを示す予約完了情報を生成し（Ｓ３０６）、その予約完了情報を含む予約結果情報を店舗サーバ１に対して送信する（Ｓ３０７）。
【００５４】
店舗サーバ１は、カードシステム２から送信された予約結果情報を受信した場合（Ｓ４０５）、その予約結果情報に予約完了情報が含まれているときは、利用履歴ＤＢ１６１に“カード番号”、“期間”、“伝票登録期限”及び“上限額”を登録する（Ｓ４０６）。これにより、店舗サーバ１においてもオーソリ予約が完了する。なお、予約結果情報に予約不可情報が含まれているときは、ステップＳ４０６が実行されることなく、処理が終了する。
【００５５】
上記のオーソリ予約処理によってオーソリ予約が完了した場合、その旨を示す情報が、電子メールなどの手段を用いてカード会員に通知される。これにより、カード会員はオーソリ予約が完了したことを認識する。その後、カード会員がオーソリ予約を済ませた店舗を訪問してクレジットカードを利用するとき、以下のカード利用受付処理が実行される。
【００５６】
本実施の形態では、オーソリ予約要求処理を受けてオーソリ予約処理が実行されているが、オーソリ予約要求処理が省略されても構わない。その場合、上記のオーソリ予約処理と同様の処理が実行されることによってオーソリ予約が行われることになる。より具体的に説明すると、まずカード会員が店舗を訪問し、店舗の担当者に対してオーソリ予約を希望している旨を伝える。その担当者は、クレジットカードのカード番号及びオーソリ予約の適用を希望する期間をカード会員から聞き出し、それらの情報を店舗サーバ１に対して入力する。このとき、店舗サーバ１は上記のステップＳ４０２と同様に予約受付画面（図８）を表示部１５に表示しており、この予約受付画面を介して入力が行われる。この入力を受けた店舗サーバ１が、上記のオーソリ予約処理におけるステップＳ４０４以降の処理を実行するとともに、カードシステム２がステップＳ３０２以降の処理を実行することによって、オーソリ予約が完了する。なお、この場合、カードシステム２は、ステップＳ３０３において、設定された上限額が所定の閾値以内であるかどうかの確認に加えて、クレジットカードの有効期限などの基本的な情報の確認も行うことによって、オーソリ予約が可能か否かを判定する。
【００５７】
（３）カード利用受付処理
カード会員は、店舗での代金支払いの際に、クレジットカードを利用する旨を店員に伝える。この場合、店員は、代金が示された伝票と併せて、携帯型のカードリーダ端末４をカード会員に提示する。カード会員が、伝票を確認するとともに、支払いに用いるクレジットカードをカードリーダ端末４にかざすことによって、以下のカード利用受付処理が開始される。
【００５８】
図９は、店舗サーバ１及びカードリーダ端末４によって実行されるカード利用受付処理の手順を示すフローチャートである。カードリーダ端末４は、カード会員によってかざされたクレジットカードのカード情報を読み取り（Ｓ５０１）、そのカード情報を店舗サーバ１に対して送信する（Ｓ５０２）。
【００５９】
店舗サーバ１は、カードリーダ端末４からカード情報を受信すると（Ｓ６０１）、そのカード情報に含まれるカード番号を用いて、当該クレジットカードについて設定されている上限額及び特定期間における利用額の合計額を利用履歴ＤＢ１６１から取得し、その合計額に今回の利用額を加算した額が上限額以下であるか否かを判定する（Ｓ６０２）。
【００６０】
店舗サーバ１は、ステップＳ６０２で上限額以下ではないと判定した場合（Ｓ６０２でＮＯ）、オーソリ予約の範囲内での利用ができないことを示す利用不可情報を生成し（Ｓ６０３）、その利用不可情報を含む利用結果情報をカードリーダ端末４に対して送信する（Ｓ６０６）。
【００６１】
他方、ステップＳ６０２において上限額以下であると判定した場合（Ｓ６０２でＹＥＳ）、店舗サーバ１は、今回の利用に関する情報を書き込むことによって利用履歴ＤＢ１６１を更新する（Ｓ６０４）。より具体的に説明すると、店舗サーバ１は、今回の利用日時及び利用額を“利用履歴”に新たに加えるとともに、“合計額”を更新する。
【００６２】
次に、店舗サーバ１は、オーソリ予約の範囲内での利用が可能であることを示す利用可情報を生成し（Ｓ６０５）、その利用可情報を含む利用結果情報をカードリーダ端末４に対して送信する（Ｓ６０６）。
【００６３】
カードリーダ端末４は、店舗サーバ１から送信された利用結果情報を受信した場合（Ｓ５０３）、その利用結果情報に示される利用結果を、表示部上に表示する（Ｓ５０４）。ここで、利用結果情報に利用可情報が含まれている場合は利用が認められたことを示す情報が、利用不可情報が含まれている場合は利用が認められなかったことを示す情報が、利用結果として表示される。
【００６４】
カード会員は、カードリーダ端末４の表示部に表示されている利用結果を参照する。その結果、利用が認められたことが確認できた場合、カード会員はそのまま店を出る。他方、利用が認められなかったことを確認した場合、カード会員は、現金などの他の手段で代金を支払う。その場合、オーソリ予約の範囲外で、すなわち通常どおりカードシステム２でのオーソリ処理を経た上で、クレジットカードによって代金を支払うようにしてもよい。
【００６５】
なお、上記のようにクレジットカードの利用が行われたときに、次のオーソリ予約、すなわち現在の特定期間終了後に適用されるオーソリ予約の要求をカード会員が行うようにしてもよい。その場合、上述したオーソリ予約要求処理と同様の処理が実行されることになるが、その際、カード会員は、利用者端末３の代わりにカードリーダ端末４を用いるようにしてもよい。
【００６６】
上記のとおり、本実施の形態の場合、オーソリ予約の範囲内であれば、クレジットカードの利用時に店舗側の担当者が伝票登録を行う必要はなく、接客の必要がないとき又は営業時間外などの業務に余裕があるときに、伝票登録を行えばよい。この伝票登録は、以下の伝票登録処理によって行われる。
【００６７】
なお、本実施の形態では、カードリーダ端末４がクレジットカードのカード情報を読み取ることによってカード番号が特定されているが、その他の方法でカード番号の特定が行われてもよい。例えば、顔情報、指紋情報及び声紋情報などの生体情報を取得可能な端末を店舗に備え付けておき、その端末がカード会員の生体情報を取得し、その生体情報と予め登録されている生体情報とが照合されることによってカード番号の特定が行われてもよい。
【００６８】
（４）伝票登録処理
図１０は、店舗サーバ１によって実行される伝票登録処理の手順を示すフローチャートである。店舗側の担当者は、入力部１４を用いて、伝票登録処理の開始を店舗サーバ１に対して指示する。この指示を受け付けた店舗サーバ１は、利用履歴ＤＢ１６１の“登録済”を参照し、伝票登録が済んでいないカード番号を特定する（Ｓ７０１）。
【００６９】
次に、店舗サーバ１は、特定したカード番号に係る利用履歴を利用履歴ＤＢ１６１から抽出し、表示部１５上に表示する（Ｓ７０２）。担当者は、入力部１４を用いて、表示されている利用履歴の中から伝票登録の対象を選択する。店舗サーバ１は、その選択を受け付けると（Ｓ７０３）、選択された利用履歴を含む伝票登録情報をカードシステム２に対して送信する（Ｓ７０４）。
【００７０】
次に、店舗サーバ１は、利用履歴ＤＢ１６１に伝票登録が済んだことを示す情報を書き込むことによって、利用履歴ＤＢ１６１を更新する（Ｓ７０５）。これにより、伝票登録処理が完了する。
【００７１】
上記の伝票登録処理によって、オーソリ予約の範囲内の利用履歴がカードシステム２に通知される。その後、カードシステム２は、電子メール及びウェブサイトなどの手段を介して、カード会員に対して利用履歴を伝える。カード会員は、その利用履歴について確認し、間違いなどがなければ承認する。その商品を受けて、カードシステム２が所定の処理を行うことによって、通常のクレジットカードの利用の場合と同様に決済が完了する。
【００７２】
なお、オーソリ予約の範囲内でのクレジットカードの利用については、上述したとおり、その都度伝票登録を行うことはないため、利用伝票が発行されない。そのため、カード会員は、通常の場合のように利用伝票を用いて利用状況を確認することはできないが、上記のとおりカードシステム２から利用履歴が通知されるため、特段問題は生じない。
【００７３】
店舗は、伝票登録の期限内に、上記の伝票登録処理を実行するようにする。これにより、伝票が未登録のまま放置されるなどの事態を回避することができる。なお、期限が過ぎても伝票登録が行われていない場合、店舗サーバ１又はカードシステム２から店舗に対してアラームを通知するようにしてもよい。
【００７４】
なお、本実施の形態では、上述したとおり、クレジットカードの利用時に伝票登録は行われず、その後にまとめて伝票登録が行われることになる。これにより、所謂ツケ払いを実現することができる。
【００７５】
（５）登録期限通知処理
店舗側では、自らが決定した期限までに伝票登録を行う必要があるため、伝票登録が済んでいない利用履歴のうち、期限が近いものを知ることができれば便宜である。以下の、登録期限通知処理はそのための処理である。
【００７６】
図１１は、店舗サーバ１によって実行される登録期限通知処理の手順を示すフローチャートである。なお、この登録期限通知処理は、毎日所定の時間に実行するなど、所定の時間間隔で繰り返し実行される。
【００７７】
図１１に示すとおり、店舗サーバ１は、利用履歴ＤＢ１６１の“登録済”及び“伝票登録期限”を参照することによって、伝票登録が済んでいないカード番号を特定し（Ｓ８０１）、さらにその中から伝票登録の期限が近いものを特定する（Ｓ８０２）。ここで、期限が近いか否かは、所定の閾値の範囲内（例えば、３日以内など）であるか否かによって判断される。
【００７８】
次に、店舗サーバ１は、特定したカード番号、伝票登録期限、及び伝票登録の実行を促すメッセージを含む登録要求情報を生成し、これを電子メールなどの手段を用いて店舗宛に送信する（Ｓ８０３）。これにより、店舗の担当者は、伝票登録の期限が近い利用履歴を確認することができる。その結果、期限内に伝票登録を確実に済ませることが可能になる。
【００７９】
上記のようにして伝票登録の期限が通知された場合であっても、その期限内に伝票登録がなされないこともあり得る。そのようなとき、店舗サーバ１が、その未登録の利用履歴をカードシステム２側へ送信することによって、伝票登録を自動的に行うようにしてもよい。その場合、店舗サーバ１は、電子メールなどの手段を用いて、利用履歴をカードシステム２側へ送信したことを示す情報を店舗に通知してもよい。
【００８０】
（その他の実施の形態）
上記の実施の形態では、オーソリ予約の範囲内でクレジットカードの利用が行われる場合、その利用時においてカード会員はこれまでの利用額の合計を知ることはできない。カード会員がこの合計を確認することができると、特定期間においてその後どの程度の利用が可能であるかを推測することなどが可能になるため、好ましい。そこで、これを実現するための下記の暫定合計額確認処理を、クレジットカードの利用時に実行するようにしてもよい。
【００８１】
図１２は、店舗サーバ１及びカードリーダ端末４によって実行される暫定合計額確認処理の手順を示すフローチャートである。以下の暫定合計額確認処理はクレジットカードの利用時に実行される。なお、この暫定合計額確認処理に先だって、上記の実施の形態におけるカード利用受付処理と同様に、店舗サーバ１がカードリーダ端末４からカード情報を受信することによって、店舗サーバ１がカード番号を特定できているものとする。
【００８２】
図１２に示すとおり、店舗サーバ１は、利用履歴ＤＢ１６１を参照して、特定期間におけるこれまでの利用額の合計額である暫定合計額を算出し（Ｓ９０１）、その暫定合計額をカードリーダ端末４に対して送信する（Ｓ９０２）。
【００８３】
カードリーダ端末４は、店舗サーバ１から送信された暫定合計額を受信すると（Ｓ１００１）、その暫定合計額を表示部上に表示する（Ｓ１００２）。このとき、表示部には、暫定合計額とともに、今回の利用額、及び今回の利用について承認を行うか否かのメッセージが表示される。
【００８４】
カード会員は、暫定合計額を参照して、特定期間におけるこれまでの利用額を確認するとともに、今後どの程度利用することが可能であるかなどを把握する。そして、カード会員は、その把握した内容に基づいて、今回の利用をオーソリ予約の範囲内で行うことの承認を行う。この承認は、カードリーダ端末４が備える入力部を用いて行われる。
【００８５】
カードリーダ端末４は、カード会員による承認が得られたか否かを判定し（Ｓ１００３）、承認が得られたと判定した場合（Ｓ１００３でＹＥＳ）はその旨を示す承認情報を生成する一方（Ｓ１００４）、承認が得られなかったと判定した場合（Ｓ１００３でＮＯ）はその旨を示す非承認情報を生成する（Ｓ１００５）。そして、カードリーダ端末４は、その承認情報又は非承認情報を含む承認結果情報を店舗サーバ１に対して送信する（Ｓ１００６）。
【００８６】
店舗サーバ１は、カードリーダ端末４から送信された承認結果情報を受信し（Ｓ９０３）、承認結果を確認する。ここで、承認がなされたことが確認できた場合、店舗サーバ１は、上記の実施の形態のカード利用受付処理と同様の処理を行うことによって、クレジットカードの利用を受け付けることになる。
【００８７】
なお、上記の暫定合計額確認処理では、今回の利用をオーソリ予約の範囲内で行うことの承認が行われているが、このような承認を行わずに、カード会員に対して暫定合計額を伝えるのみであってもよい。
【符号の説明】
【００８８】
１    店舗サーバ
１１  ＣＰＵ
１２  ＲＯＭ
１３  ＲＡＭ
１４  入力部
１５  表示部
１６  ハードディスク
１６１  利用履歴データベース
１７  通信インタフェース
１８  バス
２    カードシステム
２１  予約要求データベース
２２  オーソリ予約データベース
３    利用者端末
４    カードリーダ端末
１０１  通信ネットワーク
【図１】
2020098380.tif 000003
【図２】
2020098380.tif 000004
【図３】
2020098380.tif 000005
【図４】
2020098380.tif 000006
【図５】
2020098380.tif 000007
【図６】
2020098380.tif 000008
【図７】
2020098380.tif 000009
【図８】
2020098380.tif 000010
【図９】
2020098380.tif 000011
【図１０】
2020098380.tif 000012
【図１１】
2020098380.tif 000013
【図１２】
2020098380.tif 000014